(57)【要約】【課題】移動電話上での広告サービスを提供する方法を提供する。【解決手段】第１端末から伝送ネットワークを介して第２端末に伝送物が送信される。第１端末によって伝送物に広告データが添付される。第２端末が広告の伝送物を受信し、該第２端末のユーザに対して広告データを表示する。【選択図】          図１
2004166186.tif 000002
【特許請求の範囲】
【請求項１】
移動電話上での広告サービスを提供する方法であって、
第１端末からネットワークを介して第２端末に伝送物を送信するステップと、
前記伝送物に広告データを添付するステップと、
前記伝送物と前記広告データを前記第２端末で受信するステップと、
前記第２端末のユーザに前記広告データを表示するステップと、
を含む方法。
【請求項２】
前記メッセージに広告データを添付するステップが前記第１端末によって実施され、前記広告データは前記第１端末の内部メモリに格納されたデータからなることを特徴とする請求項１に記載の方法。
【請求項３】
前記メッセージに広告データを添付するステップが、伝送物が前記ネットワークを経由する際に該ネットワークによって実施されることを特徴とする請求項１に記載の方法。
【請求項４】
前記ネットワークが、伝送物に添付する広告データを提供する広告データサーバを含むことを特徴とする請求項３に記載の方法。
【請求項５】
前記広告データを前記第２端末に格納するステップを含むことを特徴とする上記請求項のいずれかに記載の方法。
【請求項６】
受信した広告データを格納された広告データと比較し、その比較の結果に基づいて、前記格納された広告データを更新するステップを含むことを特徴とする請求項５に記載の方法。
【請求項７】
２つ以上の広告のデータを前記第２端末に格納するステップを含むことを特徴とする請求項５又は請求項６に記載の方法。
【請求項８】
格納された広告の各々に優先順位をつけて、ついた優先順位に基づいて広告を表示するステップを含むことを特徴とする請求項７に記載の方法。
【請求項９】
実質的に本明細書に記載されたような移動体端末上での広告サービスを提供する方法。
【発明の詳細な説明】
【０００１】
【発明の属する技術分野】
本発明は、移動電話や他の移動体通信デバイスのような移動体端末上での広告サービスを提供することに関する。
【０００２】
【従来の技術】
移動体通信サービスのプロバイダは、現在使用されていて将来の使用が考慮された形式のデバイスが、ユーザに広告を幅広く配布するための大きな見通しを与えることを認識している。ユーザは、該ユーザの端末が広告を受け取れるように選択してもよく、このことにより、ネットワーク・オペレータから電話料金の値引きを受けるか、又はネットワーク機構を使用する広告代理店から他の利益を受けることができる。
【０００３】
【発明が解決しようとする課題】
ユーザに広告を配布するための多くの仕組みが提案されている。例えば、移動電話には、広告データを格納することができ、該データをかかってきた電話に呼応して表示することが可能なメモリが搭載されている。しかしながら、このような仕組みは、ユーザ端末に格納された広告を更新し、差し替えるのに最も効果的というわけではない。
【０００４】
【課題を解決するための手段】
本発明の好ましい実施形態では、ユーザが互いにデータメッセージ（例えばＭＭＳメッセージ）を送信するときに該ユーザ間に広告を広めることができる仕組みを提供することを追求している。ユーザ間にメッセージを広めることができるようにすることによって、最初に少数の選ばれた利用度の高い顧客へ広告を送ることで、その利用度の高い顧客から電話がかかってきたときに、該顧客の全ての連絡相手に広告が送られるようになる。多くの場合、利用度の高い顧客は、同様の人口統計的特性を持つ連絡相手を持っており、それによってふさわしい顧客への広告の的中率が向上される。
本発明は、特許請求の範囲の請求項においてより詳細に定義されており、請求項を参照されたい。
【０００５】
【発明の実施の形態】
次に、本発明の好ましい実施形態について、本発明を具現化可能な移動体通信ネットワークの概略図を示す図１を参照しながら、一例として詳細に説明する。広告は、別のユーザからの着信メッセージの添付物として移動体端末に送信される。これは、音声メッセージ、文字メッセージ又はマルチメディアメッセージのいずれとすることも可能である。広告データは、そのデータ形式により受信端末がユーザメッセージと区別することができる。
【０００６】
本発明の第一の実施形態において、送信元端末２がネットワーク８を介して別の端末にメッセージ４を送信する。送信元端末は、内部メモリに格納された広告６をメッセージに添付する。ネットワーク８は、メッセージと添付物を単一のエンティティとして取り扱う。これらは次に、ネットワークによって処理され宛先端末１０に伝送される。
宛先端末において、ユーザは広告を受信しないことを選択してもよいし、あるいは広告を表示不可能な端末を所持していてもよい。受信端末は、そのとき添付物を廃棄するか、またはメッセージ全体を拒絶することができる。メッセージ全体が廃棄される場合に、ネットワークは、このことを検知して、オリジナルのユーザメッセージを添付物なしで再送するよう設定される。広告の受信が該端末において許可されている場合は、広告は内部メモリに格納され、かつ、かかってきた電話を受けるか又はメッセージを受理する前にユーザに対して表示される。その後に添付物付きのメッセージを受信すると、該端末は添付物の内容を内部メモリに格納されたデータと比較して、受信した広告データと違いがあるかないかを判断する。もし違いがある場合は、格納データが新しいデータに更新又は置換され、かかってきた電話を受けるか又はメッセージを受理する前に、更新済みの即ち新しい広告がユーザに対して表示される。添付物のデータが格納データと同じであれば、その格納データがユーザに対して表示されるだけである。
【０００７】
同じ図面を参照して説明される第二の実施形態においては、送信元ユーザがユーザメッセージ１２を送信すると、該メッセージはネットワーク８を介して該メッセージを処理する広告添付サーバ１４に送られる。広告添付サーバは、１つ又はそれ以上の他のネットワークサーバ１６に問い合わせを行うことができる。広告サーバは次に、これらの他のネットワークサーバのうちの１つに宛先端末のディレクトリ番号を送信し、ユーザメッセージに広告を添付するかどうかを決定するのに用いる以下の情報、すなわち、
ａ）宛先ユーザが広告を受信することを選択しているかどうか、
ｂ）宛先端末が広告の受信をサポートできるかどうか、
ｃ）宛先端末の所在、
及び、
ｄ）宛先ユーザについての既知の嗜好又は個人的プロフィール、
を取得することができる。
【０００８】
この情報は次に、ユーザメッセージに広告を添付すべきかどうかを決定するのに用いられる。広告はサーバ１４内の複数の広告から選択することができる。
広告６が添付されると、それに続いてネットワークがメッセージと添付された広告を宛先端末に送信する。メッセージが広告添付サーバを経由しない場合は、受信端末は広告の受信を許可又はサポートしていなくてもよい。この場合は、添付物が廃棄されるか又はメッセージ全体が拒絶される。メッセージ全体が拒絶された場合は、ネットワークがオリジナルのユーザメッセージを添付物なしで再送する。
【０００９】
上述の第二の実施形態において、広告を添付するかどうかの決定に用いられる選択肢ａ）、ｂ）、ｃ）、ｄ）の数は、もっと少なくても多くてもよい。たとえば、その決定を行うのに、ａ）とｂ）のみを用いることもできる。
第二の実施形態においては、受信端末１０は、受信した広告データと内部メモリに格納された広告データとをもう一度比較して、違いがあるかどうかを判断する。もし違いがあれば、内部メモリ内のデータが新しい広告データに更新又は置換され、その新しい広告データが表示される。受信したデータが同じものであれば、更新する必要はなく、古いデータがユーザに対して表示される。
【００１０】
端末は、複数の広告を同時に格納するのに十分なメモリ容量を備えることができる。このとき端末は、これらの広告を着信メッセージの受領に合わせて順次に表示することができる。また別の方法として、優先度をつけて優先度順に表示させることもできる。一般的には、最も優先度の高い広告は、最新の着信メッセージに添付されたものである。これは、新しい広告とそれに続くメッセージが受領されるまで、最も優先度の高い広告とされる。
【００１１】
端末に送られた広告データは、広告の配布によって設定された多くのパラメータと、表示方法に影響を与えるネットワーク制御機能を含んでいる。これらのパラメータは、以下のことについて決定するか又は影響を与えることができる。
ａ）広告が表示される相対頻度又は他の広告の優先度。
ｂ）端末内の不揮発性メモリに格納され、広告が表示される度に減算される「有効回数」カウンタによって表される、広告を表示可能な最大回数。カウンタがゼロになると、広告は端末のメモリから消去される。
ｃ）端末内のカレンダー又は日付機能によって決定される広告の妥当性。前もって設定された日付を過ぎると、広告は期限切れになり、端末のメモリから消去される。
ｄ）端末内の時刻機能によって決定される広告の表示タイミング。呼び出しではなくメッセージに促されて広告が表示され、しかもすぐに表示され、端末のひとつのキーを押すとキャンセルすることができるように端末を設定することが可能である。メッセージの受信とユーザがそれを見ることとの間にインターバルがあるとき、表示される広告は以下の条件に従う。
ｉ）広告は、データ形式内に細心の注意を払わなくてもよいという印がついている場合にのみ表示される。
ｉｉ）広告は、端末によって受信された後のある特定期間に表示される。
【００１２】
第三の実施形態においては、広告２２が添付されたメッセージ２０を端末２から送ることができる。このメッセージはネットワークに送られて、対象とする受信者１０のプロフィールデータについてサーバ１６に問い合わせが行われる。受信者が広告データの受信を選択しているかどうかと、受信者のプロフィールがこの特定の広告の要求するものに適合するかどうかが判断され、この判断に基づいて、添付広告６付きのメッセージ１２としてメッセージが送られる。
【００１３】
メッセージの形式、それと端末との対話、及び端末上に表示されるデータの例を図２に示す。図に示すように、広告メッセージは以下のものを含む。
ａ）メッセージヘッダー
ｂ）終了日
ｃ）有効回数
ｄ）優先度
ｅ）時刻
ｆ）持続率
ｇ）その他のパラメータ
ｈ）文字及び／又は画像データを通知する広告のペイロード
【００１４】
終了日は、広告を多少なりとも表示すべきかどうかを決定するために、受信端末上の日付と比較される。
有効回数は、広告を表示する回数が残っているかどうかを判断するのに利用される。
優先度データは、どの順番で広告を表示すべきかを決定するために、他の利用可能な広告の優先度データと比較される。
時刻は、広告を表示するのに適した時刻かどうかを決定するために、端末上の時刻と比較される。
持続時間データは、与えられた秒数の間に広告を表示するよう端末に指示するために用いられる。
有効回数フィールドは端末によって減算される。この効果は、有効回数が０になるまで減少すると、その後広告は他のどの端末にも送信されなくなることである。
【００１５】
上記のシステムを利用することによって、ユーザの間に広告を広めることができるようになり、こうしたユーザ同士は同様のプロフィールを持つことが多いので、広告を広く配布することができるようになる。広告を受信することを物理的に選択したユーザは、その結果として該ユーザの移動体通信デバイスの料金の割引きを受けることができる。
【図面の簡単な説明】
【図１】本発明を具現化可能な移動体通信ネットワークの概略図である。
【図２】メッセージの形式、それと端末との対話、及び端末上に表示されるデータの例を示す図である。
【符号の説明】
２  送信元端末
４、１２、２０  メッセージ
６  広告
１４  広告添付サーバ
１６  サーバ
１０  受信端末
【図１】
2004166186.tif 000003
【図２】
2004166186.tif 000004
【外国語明細書】
2004166186.tif 000005
2004166186.tif 000006
2004166186.tif 000007
2004166186.tif 000008
2004166186.tif 000009
2004166186.tif 000010
2004166186.tif 000011
2004166186.tif 000012
2004166186.tif 000013
2004166186.tif 000014
2004166186.tif 000015
2004166186.tif 000016